(57)【要約】      （修正有）【課題】脱穀装置上部又はグレンタンク下部のメンテナンス作業性等を向上できるようにしたコンバインを提供する。【解決手段】走行部及び運転座席４２を有する走行機体１と、刈刃を有する刈取装置と、扱胴２１を有する脱穀装置９と、刈取装置から脱穀装置９に刈取り穀稈を供給するフィーダハウスと、各部を駆動するエンジンと、脱穀装置９の脱粒物を選別する穀粒選別機構と、穀粒を収集するグレンタンク６を備えた普通型コンバインにおいて、脱穀装置９の上面側に配置したグレンタンク６を、走行機体の左右いずれか一側外方に向けて展開可能に支持するように構成した。【選択図】図９
2011182744.tif 000002
【特許請求の範囲】
【請求項１】
走行部及び運転座席を有する走行機体と、刈刃を有する刈取装置と、扱胴を有する脱穀装置と、前記刈取装置から前記脱穀装置に刈取り穀稈を供給するフィーダハウスと、各部を駆動するエンジンと、前記脱穀装置の脱粒物を選別する選別機構と、穀粒を収集するグレンタンクを備えた普通型コンバインにおいて、
前記脱穀装置の上面側に配置した前記グレンタンクを、前記走行機体の左右いずれか一側外方に向けて展開可能に支持するように構成したことを特徴とするコンバイン。
【請求項２】
前記グレンタンクの左右いずれか一側に揚穀コンベヤ又は外部排出コンベヤを設ける構造であって、前記グレンタンクの左右いずれか他側に展開用軸体を設け、前記展開用軸体回りに前記グレンタンクを回動可能に構成したことを特徴とする請求項１に記載のコンバイン。
【請求項３】
前記グレンタンクの少なくとも左右いずれか一側の底部に底部排出コンベヤを設け、前記底部排出コンベヤの軸芯線回りに前記グレンタンクを回動可能に構成したことを特徴とする請求項１に記載のコンバイン。
【請求項４】
前記グレンタンクの左右いずれか一側に揚穀コンベヤ又は外部排出コンベヤを設置し、前記グレンタンクの左右いずれか他側の下部に底部排出コンベヤを設け、前記グレンタンクの少なくとも前後いずれか一側に横送りコンベヤを設け、前記底部排出コンベヤの送り終端側に前記横送りコンベヤを介して前記外部排出コンベヤの送り始端側を連結させるように構成したことを特徴とする請求項１に記載のコンバイン。
【発明の詳細な説明】
【技術分野】
【０００１】
本願発明は、圃場の未刈り穀稈を刈取る刈取装置と、刈取り穀稈の穀粒を脱粒する脱穀装置を搭載したコンバインに関するものである。
【背景技術】
【０００２】
従来、走行部及び運転座席を有する走行機体と、刈刃を有する刈取装置と、扱胴を有する脱穀装置と、刈取装置から脱穀装置に刈取り穀稈を供給するフィーダハウスと、各部を駆動するエンジンと、脱穀装置の脱粒物を選別する選別機構と、穀粒を収集するグレンタンクを備え、脱穀装置の上面側に鞍形のグレンタンクを搭載させ、機体左右幅中央に運転座席又はグレンタンクを配置する技術がある（特許文献１、特許文献２参照）。
【先行技術文献】
【特許文献】
【０００３】
【特許文献１】特開平３−１７５９０９号公報
【特許文献２】特開２０００−１４２３０号公報
【発明の概要】
【発明が解決しようとする課題】
【０００４】
従来技術では、グレンタンク内の穀粒の有無に関連して、走行機体が左右方向に傾くのを防止できる。しかしながら、脱穀装置上部をメンテナンス作業する場合、脱穀装置の上側に設けたグレンタンクを取外してから、脱穀装置内の扱胴周辺等をメンテナンスする必要がある等の取扱い作業上の問題がある。また、グレンタンク底部をメンテナンス作業する場合も、脱穀装置の上側からグレンタンクを取外す必要があり、グレンタンク底部又は穀粒排出コンベヤの掃除等を簡略化できない問題がある。なお、脱穀装置の一側方にグレンタンクを設ける構造では、脱穀装置の上面側を簡単な操作にて開放できるが、グレンタンク内の穀粒の有無によって、走行機体が左右方向に傾きやすい不具合がある。
【０００５】
そこで、本願発明は、これらの現状を検討して改善を施したコンバインを提供しょうとするものである。
【課題を解決するための手段】
【０００６】
前記目的を達成するため、請求項１に係る発明のコンバインは、走行部及び運転座席を有する走行機体と、刈刃を有する刈取装置と、扱胴を有する脱穀装置と、前記刈取装置から前記脱穀装置に刈取り穀稈を供給するフィーダハウスと、各部を駆動するエンジンと、前記脱穀装置の脱粒物を選別する選別機構と、穀粒を収集するグレンタンクを備えた普通型コンバインにおいて、前記脱穀装置の上面側に配置した前記グレンタンクを、前記走行機体の左右いずれか一側外方に向けて展開可能に支持するように構成したものである。
【０００７】
請求項２に記載の発明は、請求項１に記載のコンバインにおいて、前記グレンタンクの左右いずれか一側に揚穀コンベヤ又は外部排出コンベヤを設ける構造であって、前記グレンタンクの左右いずれか他側に展開用軸体を設け、前記展開用軸体回りに前記グレンタンクを回動可能に構成したものである。
【０００８】
請求項３に記載の発明は、請求項１に記載のコンバインにおいて、前記グレンタンクの少なくとも左右いずれか一側の底部に底部排出コンベヤを設け、前記底部排出コンベヤの軸芯線回りに前記グレンタンクを回動可能に構成したものである。
【０００９】
請求項４に記載の発明は、請求項１に記載のコンバインにおいて、前記グレンタンクの左右いずれか一側に揚穀コンベヤ又は外部排出コンベヤを設置し、前記グレンタンクの左右いずれか他側の下部に底部排出コンベヤを設け、前記グレンタンクの少なくとも前後いずれか一側に横送りコンベヤを設け、前記底部排出コンベヤの送り終端側に前記横送りコンベヤを介して前記外部排出コンベヤの送り始端側を連結させるように構成したものである。
【発明の効果】
【００１０】
請求項１に記載の発明によれば、走行部及び運転座席を有する走行機体と、刈刃を有する刈取装置と、扱胴を有する脱穀装置と、前記刈取装置から前記脱穀装置に刈取り穀稈を供給するフィーダハウスと、各部を駆動するエンジンと、前記脱穀装置の脱粒物を選別する選別機構と、穀粒を収集するグレンタンクを備えた普通型コンバインにおいて、前記脱穀装置の上面側に配置した前記グレンタンクを、前記走行機体の左右いずれか一側外方に向けて展開可能に支持するように構成したものであるから、機体側方に前記グレンタンクを回動して、前記脱穀装置の上面側を開放でき、前記扱胴の周辺等をメンテナンス作業できる。前記グレンタンクを取外してから、前記脱穀装置内の扱胴周辺等をメンテナンスする必要がないから、前記脱穀装置上部又は前記グレンタンク下部のメンテナンス作業性等を向上できる。
【００１１】
請求項２に記載の発明によれば、前記グレンタンクの左右いずれか一側に揚穀コンベヤ又は外部排出コンベヤを設ける構造であって、前記グレンタンクの左右いずれか他側に展開用軸体を設け、前記展開用軸体回りに前記グレンタンクを回動可能に構成したものであるから、前記揚穀コンベヤ又は外部排出コンベヤに殆ど規制されることなく、前記展開用軸体回りに前記グレンタンクを展開移動できる。前記グレンタンクの展開又は復元操作性を向上できる。
【００１２】
請求項３に記載の発明によれば、前記グレンタンクの少なくとも左右いずれか一側の底部に底部排出コンベヤを設け、前記底部排出コンベヤの軸芯線回りに前記グレンタンクを回動可能に構成したものであるから、前記揚穀コンベヤ又は外部排出コンベヤに殆ど規制されることなく、前記底部排出コンベヤ回りに前記グレンタンクを展開移動できる。前記走行機体に前記底部排出コンベヤを介して空の前記グレンタンクを簡単に支持できる。前記グレンタンクの支持構造を簡略化できるものでありながら、前記グレンタンクの展開操作性又は復元操作性を向上できる。
【００１３】
請求項４に記載の発明によれば、前記グレンタンクの左右いずれか一側に揚穀コンベヤ又は外部排出コンベヤを設置し、前記グレンタンクの左右いずれか他側の下部に底部排出コンベヤを設け、前記グレンタンクの少なくとも前後いずれか一側に横送りコンベヤを設け、前記底部排出コンベヤの送り終端側に前記横送りコンベヤを介して前記外部排出コンベヤの送り始端側を連結させるように構成したものであるから、前記グレンタンクの外側方に前記横送りコンベヤを介して前記外部排出コンベヤを簡単に支持できる。前記底部排出コンベヤと前記横送りコンベヤによって前記グレンタンク内の穀粒を略同一平面内で搬送して、前記外部排出コンベヤの送り始端側に供給できる。前記グレンタンク内の穀粒を搬出させるための径路を、前記グレンタンク底部付近にコンパクトに構成できる。
【図面の簡単な説明】
【００１４】
【図１】本発明の第１実施形態を示すコンバインの左側面図である。
【図２】同コンバインの右側面図である。
【図３】同コンバインの平面図である。
【図４】同コンバインの正面図である。
【図５】同コンバインの背面図である。
【図６】同コンバインの駆動系統図である。
【図７】グレンタンクの穀粒排出説明図である。
【図８】グレンタンクの断面背面図である。
【図９】グレンタンクの展開説明図である。
【発明を実施するための形態】
【００１５】
以下に、本願発明を具体化した実施形態を、普通型コンバインに適用した図面（図１〜図６）に基づいて説明する。図１はコンバインの左側面図、図２は同右側面図、図３は同平面図、図４は同正面図、図５は同背面図、図６は同駆動系統図である。まず、図１及び図２を参照しながら、コンバインの概略構造について説明する。なお、以下の説明では、走行機体１の前進方向に向かって左側を単に左側と称し、同じく前進方向に向かって右側を単に右側と称する。
【００１６】
実施形態における普通型コンバインは、走行部としての鉄製の左右一対の履帯２にて支持された走行機体１を備えている。走行機体１の前部には、稲（又は麦又は大豆又はトーモロコシ）等の未刈り穀稈を刈取りながら取込む刈取装置３が単動式の昇降用油圧シリンダ４にて昇降調節可能に装着されている。
【００１７】
走行機体１の前部には、オペレータが搭乗する運転台５を搭載する。運転台５の後方には、脱穀後の穀粒を貯留するためのグレンタンク６を配置する。グレンタンク６の後方には、動力源としてのエンジン７を配置する。グレンタンク６の後部の右側には、穀粒排出オーガ８を旋回可能に設ける。グレンタンク６内の穀粒は、排出オーガ８先端の籾投げ口８ａから例えばトラック６２の荷台６３やコンテナ６４等に搬出されるように構成する（図７参照）。走行機体１の他側（実施形態では左側）には、刈取装置３から供給された刈取穀稈を脱穀処理するための脱穀装置９を搭載する。脱穀装置９の下部には、揺動選別及び風選別を行うための穀粒選別機構１０を配置する。
【００１８】
刈取装置３は、脱穀装置９前部の扱口９ａに連通したフィーダハウス１１と、フィーダハウス１１の前端に連設された横長バケット状の穀物ヘッダー１２とを備えている。フィーダハウス１１の下面部と走行機体１の前端部とが昇降用油圧シリンダ４を介して連結されている。穀物ヘッダー１２内に掻込みオーガ１３を回転可能に軸支する。掻込みオーガ１３の前部上方にタインバー付き掻込みリール１４を配置する。穀物ヘッダー１２の前部にバリカン状刈刃１５を配置する。穀物ヘッダー１２前部の左右両側に左右の分草体１６を突設する。
【００１９】
上記の構成により、掻込みリール１４にて掻込れた未刈り穀稈の穂先側が刈刃１５にて刈取られ、掻込みオーガ１３の回転駆動によって穀物ヘッダー１２の左右幅の中央部付近に集められる。穀物ヘッダー１２の刈取穀稈の全量が、フィーダハウス１１内の供給コンベヤ１７によって脱穀装置９の扱口９ａに投入されるように構成している。なお、手動回転ハンドル１８の操作によって掻込みリール１４の対地高さを変更するリール高さ調節機構１９を設ける。
【００２０】
脱穀装置９の扱室９ｂ内に扱胴２１を回転可能に設ける。走行機体１の前後方向に延長させた扱胴軸２０に扱胴２１を軸支する。扱胴２１の下方側には、穀粒を漏下させる受網２４を張設する。なお、扱胴２１の外周面には、螺旋状のスクリュー羽根（図示省略）が半径方向外向きに突設される。前記スクリュー羽根の外周縁から多数の扱歯（図示省略）を放射状に突出させる。
【００２１】
上記の構成により、扱口９ａから投入された刈取穀稈は、扱胴２１の回転によるスクリュー羽根の脱粒作用によって、走行機体１の後方に向けて搬送されながら、扱胴２１と受網２４との間で混練されて脱穀される。受網２４の網目よりも小さい穀粒等の脱穀物は受網２４から漏下する。受網２４から漏下しない藁屑等は、扱胴２１の搬送作用によって、脱穀装置９後部の排塵口から圃場に排出される。
【００２２】
なお、扱胴２１の上方側には、扱室９ｂ内の脱穀物の搬送速度を調節する複数の送塵弁（図示省略）を回動可能に枢着する。前記送塵弁の角度調整によって、扱室９ｂ内の脱穀物の搬送速度（滞留時間）を、刈取穀稈の品種や性状に応じて調節できる。一方、脱穀装置９の下方に配置された穀粒選別機構１０は、グレンパン及びチャフシーブ及びグレンシーブ及びストローラック等を有する比重選別機構、又はスパイラー及び受樋等を有する攪拌選別機構のいずれか一方又は両方の組合せ等によって構成される。
【００２３】
また、選別風を供給する唐箕ファン２９等を備える。扱胴２１にて脱穀されて受網２４から漏下した脱穀物は、穀粒選別機構１０の選別作用と唐箕ファン２９の風選別とにより、穀粒（精粒等）の一番物、枝梗付き穀粒等の二番物、及び藁屑等に選別されるように構成する。
【００２４】
穀粒選別機構１０の下側方には、一番コンベヤ機構３０及び二番コンベヤ機構３１を備える。穀粒選別機構１０及び唐箕ファン２９の選別によって、穀粒選別機構１０から落下した穀粒等の一番物は、一番コンベヤ機構３０及び揚穀コンベヤ３２によってグレンタンク６に収集される。枝梗付き穀粒等の二番物は、二番コンベヤ機構３１及び二番還元コンベヤ３３等を介して穀粒選別機構１０の選別始端側に戻され、穀粒選別機構１０によって再選別される。藁屑等は、走行機体１後部の排塵口３４から圃場に排出されるように構成する。
【００２５】
さらに、図１乃至図３に示す如く、運転台５には、操縦ハンドルレバー４０等を設けるハンドルコラム４１と、オペレータが座乗する運転座席４２とを配置している。なお、図示しない主変速レバー、副変速レバー、脱穀クラッチ及び刈取クラッチを入り切り操作する作業クラッチレバー等が、運転台５に配置されている。平面視で、走行機体１の前後方向中心線上に、フィーダハウス１１と、運転座席４２と、扱胴２１を配置させている。即ち、前記フィーダハウス１１に支持させる刈取装置３等の左右方向の平衡を簡単に維持でき、湿田走行性能を向上できるものでありながら、扱胴２１が脱粒する穀稈の移動方向等を前後に長尺に形成でき、刈取り性能又は脱穀性能等を低下させることなく、製造コストを低減できる。
【００２６】
図１に示す如く、走行機体１の下面側に左右のトラックフレーム５０を配置している。トラックフレーム５０には、履帯２にエンジン７の動力を伝える駆動スプロケット５１と、履帯２のテンションを維持するテンションローラ５２と、履帯２の接地側を接地状態に保持する複数のトラックローラ５３と、履帯２の非接地側を保持する中間ローラ５４とを設けている。駆動スプロケット５１によって履帯２の後側を支持させ、テンションローラ２３によって履帯２の前側を支持させ、トラックローラ５３によって履帯２の接地側を支持させ、中間ローラ５４によって履帯２の非接地側を支持させるように構成する。
【００２７】
また、図１乃至図６に示す如く、グレンタンク６の底部に配置させる左右の底送りコンベヤ６０と、グレンタンク６の後部に配置させる横送りコンベヤ６１を備える。左右の底送りコンベヤ６０は、グレンタンク６の底部で前後方向に延長されていて、グレンタンク６後部の横送りコンベヤ６１に向けてグレンタンク６の底部の穀粒を搬送する。横送りコンベヤ６１は、グレンタンク６の後部で左右方向に延長されていて、グレンタンク６右側の穀粒排出オーガ８に向けて底送りコンベヤ６０からの穀粒を搬送する。グレンタンク６内の穀粒は、排出オーガ８先端の籾投げ口８ａに搬送されるように構成する。
【００２８】
図１〜図７に示す如く、穀粒排出オーガ８は、横送りコンベヤ６１の送り終端部に支持されて、横送りコンベヤ６１のコンベヤ軸芯回りに籾投げ口８ａ側を手動操作にて回動可能に構成する。即ち、走行機体１の前方に籾投げ口８ａ側を移動させて、運転台５及びグレンタンク６の右側方に穀粒排出オーガ８を収納する（図１参照）一方、走行機体１の後方に籾投げ口８ａ側を移動させて（図７参照）、走行機体１の後方に穀粒排出オーガ８を突出させ、トラック６２の荷台６３に搭載したコンテナ６４等に籾投げ口８ａを対向させ、グレンタンク６からコンテナ６４等に穀粒を搬出するように構成する。
【００２９】
次に、図１、図３、図６のコンバインの駆動系統図に示す如く、左右一対の斜板可変型走行油圧ポンプ６５を有する走行変速部６６を備える。走行変速部６６に出力軸６７を介してエンジン７の駆動出力を伝達する。扱胴２１よりも後方の走行機体１にエンジン７と走行変速部６６を設け、走行機体１の前後方向中心線を挟んで、エンジン７と走行変速部６６を左右に振分けて配置している。なお、左右一対の斜板可変型走行油圧ポンプ６５は、タンデム型ポンプユニット構造に構成され、左右一対の斜板可変型走行油圧ポンプ６５のタンデム型ポンプケースが、エンジン７を支持した走行機体１の同一平面上（エンジン台フレーム）に組付けられている。また、昇降用油圧シリンダ４等を駆動するチャージポンプ兼用の作業ポンプ６８も、走行油圧ポンプ６５と同軸上に設けている。
【００３０】
上記の構成により、刈取装置３とのバランスによってエンジン７や走行変速部６６等の重量物を簡単に配置できる。フィーダハウス１１の配置構造が制約されることがないから、フィーダハウス１１によって刈取装置３をバランス良く支持でき、フィーダハウス１１に負荷される刈取装置３の左右方向の偏荷重を低減でき、走行機体１の左右方向又は前後方向の平衡や駆動構造を簡略化できる。また、運転台５から離反させてエンジン７が設置され、運転座席４２のオペレータに対してエンジン７の排気や吸気の構造を殆ど考慮する必要がないから、オペレータに対してエンジン７騒音を低減できる。
【００３１】
即ち、左右の履帯２の左右設置幅内で、扱胴２１よりも後方の走行機体１に、エンジン７と走行変速部６６を配置することによって、刈取装置３とのバランスによってエンジン７や走行変速部６６等の重量物を簡単に配置できるばかりでなく、左右一対の履帯２の接地圧を均等に維持できる。その結果、左右一対の履帯２の接地圧差による蛇行走行又は横滑り等を低減できる。左右一対の履帯２の操舵（左側方向又は右側方向の旋回）性能を向上できる。
【００３２】
一方、図６に示す如く、左右一対の走行油圧ポンプ６５には、閉ループ油圧回路を介して左右一対の走行油圧モータ６９が油圧接続される。左右一対の走行油圧モータ６９によって、駆動スプロケット５１を介して、左右一対の履帯２が前進方向又は後進方向に駆動される。オペレータが操縦ハンドルレバー４０を操作して、走行油圧ポンプ６５の斜板角（変速制御）を調節することによって、走行油圧モータ６９の回転数又は回転方向が変更され、履帯２が駆動されて前進移動又は後進移動するように構成している。
【００３３】
図６に示す如く、扱胴駆動ケース７１に内設させる脱穀駆動ベルト７２を備える。エンジン７の出力軸６７に脱穀駆動ベルト７２を介して脱穀駆動軸７３を連結する。テンションローラを兼用した脱穀クラッチ７４と脱穀駆動ベルト７２を介して、出力軸６７から脱穀駆動軸７３にエンジン７の動力を伝達させる。なお、オペレータのレバー操作によって脱穀クラッチ７４が入り切り制御される。
【００３４】
さらに、脱穀駆動軸７３の一端側にベベルギヤ７５を介して扱胴軸２０が連結され、脱穀駆動軸７３を介して扱胴２１が駆動される。脱穀駆動軸７３の他端側には、唐箕ファン２９を軸支した唐箕軸７６と、一番コンベヤ機構３０の一番コンベヤ軸７７と、穀粒選別機構１０の選別駆動軸７９と、穀粒選別機構１０の粉塵排出用の排塵ファン８０が軸支された排塵軸８１とを、選別駆動ベルト８２を介して連結している。なお、一番コンベヤ軸７７を介して揚穀コンベヤ３２が駆動される。また、二番コンベヤ機構３１の二番コンベヤ軸７８に、二番駆動ベルト８３を介して選別駆動軸７９を連結している。二番コンベヤ軸７８を介して二番還元コンベヤ３３が駆動される。
【００３５】
一方、唐箕軸７６には、刈取り駆動ベルト８６，８７及び刈取クラッチ８８を介して、供給コンベヤ１７の供給軸８９を連結している。供給軸８９にヘッダー駆動チェン９０を介してヘッダー駆動軸９１を連結する。ヘッダー駆動軸９１に掻込み駆動チェン９２を介して掻込みオーガ１３の掻込み軸９３を連結する。また、ヘッダー駆動軸９１には、刈刃駆動ベルト９４及びクランク機構９５を介して刈刃１５を連結する。刈取クラッチ８８の入り切り操作によって、供給コンベヤ１７と掻込みオーガ１３と刈刃１５が駆動制御されて、圃場の未刈り穀稈の穂先側を刈取るように構成している。さらに、掻込みリール１４は、掻込み電動モータ９６によって回転速度を変更可能に駆動されるように構成している。
【００３６】
他方、図６に示す如く、エンジン７と走行変速部６６の連結中間で、エンジン７の出力軸６７に、穀粒排出ベルト１０１及び穀粒排出クラッチ１０２を介して、横送りコンベヤ６１の右送り軸１０３の左端側を連結させる。右送り軸１０３の左端側には、ベベルギヤ機構１０４を介して、左側の底送りコンベヤ６０の左側後送り軸１０５の後端側を連結する。左側後送り軸１０５の前端側に、ベベルギヤ機構１０６を介して、グレンタンク６前部の仲介軸１０７の左端側を連結する。仲介軸１０７の右端側に、ベベルギヤ機構１０８を介して、右側の底送りコンベヤ６０の右側後送り軸１０９の前端側を連結する。また、右送り軸１０３の右端側に、ベベルギヤ機構１１０を介して、穀粒排出オーガ８の排出オーガ軸１１１の送り始端側を連結する。穀粒排出クラッチ１０２の入り切り操作によって、左右の底送りコンベヤ６０と横送りコンベヤ６１と穀粒排出オーガ８が駆動制御されて、グレンタンク６内の穀粒を排出するように構成している。
【００３７】
図１〜図５に示す如く、走行部としての履帯２及び運転座席４２を有する走行機体１と、刈刃１５を有する刈取装置３と、扱胴２１を有する脱穀装置９と、刈取装置３から脱穀装置９に刈取り穀稈を供給するフィーダハウス１１と、各部を駆動するエンジン７と、脱穀装置９の脱粒物を選別する穀粒選別機構１０と、穀粒を収集するグレンタンク６を備える。また、平面視で、走行機体１の前後方向中心線上に、フィーダハウス１１と、運転座席４２と、扱胴２１を配置させている。したがって、フィーダハウス１１に支持させる刈取装置３等の左右方向の平衡を簡単に維持でき、湿田走行性能を向上できるものでありながら、扱胴２１が脱粒する穀稈の移動方向等を前後に長尺に形成でき、刈取り性能又は脱穀性能等を低下させることなく、製造コストを低減できるものである。
【００３８】
図１〜図５に示す如く、履帯２にエンジン７出力を伝達させる走行変速部６６を備える構造であって、扱胴２１よりも後方の走行機体１にエンジン７と走行変速部６６を設け、走行機体１の前後方向中心線を挟んで、エンジン７と走行変速部６６を左右に振分けて配置している。したがって、刈取装置３とのバランスによってエンジン７や走行変速部６６等の重量物を簡単に配置できる。フィーダハウス１１の配置構造が制約されることがなく、走行機体１の左右方向又は前後方向の平衡や駆動構造の簡略化を簡単に図ることができる。運転座席４２のオペレータに対してエンジン７の排気や吸気の構造を殆ど考慮する必要がなく、オペレータに対してエンジン７騒音を簡単に低減できる。
【００３９】
図１〜図５に示す如く、前記走行部は左右一対の履帯２を有し、左右一対の履帯２に前記エンジン７出力を伝達させる走行変速部６６を備える構造であって、左右の履帯２の左右設置幅内で、扱胴２１よりも後方の走行機体１に、エンジン７と走行変速部６６を配置している。したがって、刈取装置３とのバランスによってエンジン７や前記走行変速部６６等の重量物を簡単に配置できるものでありながら、左右一対の履帯２の接地圧を均等に維持できる。左右一対の履帯２の接地圧差による蛇行走行又は横滑り等を低減できる。左右一対の履帯２の操舵（左側方向又は右側方向の旋回）性能を向上できる。
【００４０】
図１〜図６に示す如く、前記エンジン７から前記走行変速部６６に向けて延長する走行駆動軸としての出力軸６７の中間に、前記扱胴が軸支された扱胴軸の後端側を連結させている。したがって、機体の左右方向の平衡を良好に維持できるものでありながら、前記扱胴の駆動反力を吸収可能な高剛性構造に、前記走行変速部又は前記扱胴への動力伝達機構を構成できる。例えば、大きなベルトテンションを確保したベルト伝達機構を介して、前記扱胴に前記エンジンの動力をベルト伝動でき、前記扱胴の回転が高負荷になる大型のものであっても、前記扱胴をスムーズに始動できる。
【００４１】
次に、図８、図９を参照して、グレンタンク６の展開構造を説明する。図８に示す如く、左側の底送りコンベヤ６０の前端側及び後端側を回動可能に支持する前部軸受体２３１と後部軸受け体２３２を備える。前部軸受体２３１は、脱穀装置９の前部左側に設ける。後部軸受け体２３２は、横送りコンベヤ６１の送り始端側に設ける。即ち、左側の底送りコンベヤ６０の底送りコンベヤ軸２３３は、前部軸受体２３１と後部軸受け体２３２を介して、脱穀装置９の前部左側と横送りコンベヤ６１の送り始端側とに回動可能に支持される。
【００４２】
図８、図９に示す如く、グレンタンク６の後側面に受継ぎ筒体２３４を設け、底送りコンベヤ６０に受継ぎ筒体２３４を介して横送りコンベヤ６１の送り始端側を連通させる。横送りコンベヤ６１の送り始端側に受継ぎ筒体２３４から左側の底送りコンベヤ６０の穀粒を移動させるように構成する。
【００４３】
図８、図９に示す如く、右側の底送りコンベヤ６０の前端側及び後端側を回動可能に支持する前後の軸受け体２３５を備え、グレンタンク６の底部に前後の軸受け体２３５を介して右側の底送りコンベヤ６０を取付けている。また、グレンタンク６の右側底部（右側の底送りコンベヤ６０取付け部）を支持する底送り樋体２３６を備える。底送り樋体２３６には、グレンタンク６の右側底部が上方に向けて離反可能に載置される。
【００４４】
図８に示す如く、底送り樋体２３６にグレンタンク６の右側底部を上載したときに、右側の底送りコンベヤ６０の送り終端部が横送りコンベヤ６１の送り途中部に連通させる。横送りコンベヤ６１の送り途中部に底送り樋体２３６を介して左側の底送りコンベヤ６０の穀粒を移動させるように構成する。
【００４５】
図１〜図８に示す如く、グレンタンク６の左右いずれか一側に揚穀コンベヤ３２又は穀粒排出オーガ８を設置し、グレンタンク６の左右いずれか他側の下部に底送りコンベヤ６０を設け、グレンタンク６の少なくとも前後いずれか一側に横送りコンベヤ６１を設け、底送りコンベヤ６０の送り終端側に横送りコンベヤ６１を介して穀粒排出オーガ８の送り始端側を連結させている。グレンタンク６の左右いずれか一側に揚穀コンベヤ３２又は外部排出コンベヤとしての穀粒排出オーガ８を設ける構造であって、グレンタンク６の左右いずれか他側に展開用軸体としての底送りコンベヤ６０を設け、底送りコンベヤ６０回りにグレンタンク６を回動可能に構成している。
【００４６】
即ち、グレンタンク６の少なくとも左右いずれか一側の底部に底部排出コンベヤとしての底送りコンベヤ６０を設け、底送りコンベヤ６０の軸芯線回りにグレンタンク６を回動可能に構成している。脱穀装置９の上面側に配置したグレンタンク６を、走行機体１の左右いずれか一側外方に向けて展開可能に支持している。また、グレンタンク６を展開位置に支持する位置決め体２３７を備える。位置決め体２３７は、脱穀装置９の側面に固着している。走行機体１の左右いずれか一側外方に向けてグレンタンク６を展開させたときに、グレンタンク６左側の外側面を位置決め体２３７に当接させるように構成している。
【００４７】
図９に示す如く、脱穀装置９の上面には、扱室９ｂを形成する脱穀上面カバー２３８を備える。脱穀装置９の機筐に上面カバーヒンジ２３９を介して脱穀上面カバー２３８の左側端部を連結させる。脱穀装置９の機筐に締結ボルト体２４０を介して脱穀上面カバー２３８の右側端部を着脱可能に締結させる。上面カバーヒンジ２３９を支点にして脱穀上面カバー２３８を脱穀装置９の左側方向に開放可能に構成している。
【００４８】
上記の構成により、図８の状態下で、収穫作業によってグレンタンク６に穀粒を収集し、グレンタンク６に穀粒が充填されたときに、グレンタンク６からコンテナ６４に穀粒を搬出させる。一方、図９のように、底送りコンベヤ軸２３３回りに、走行機体１の左側方に向けて、グレンタンク６を展開させ、上面カバーヒンジ２３９を支点にして脱穀上面カバー２３８を脱穀装置９の左側方向に開放させ、扱胴２１周辺の藁屑の除去等の掃除や、メンテナンス作業等を行う。また、底送りコンベヤ６０周辺の掃除や、メンテナンス作業等を行う。
【００４９】
図１〜図５、図８及び図９に示す如く、走行部としての履帯２及び運転座席４２を有する走行機体１と、刈刃１５を有する刈取装置３と、扱胴２１を有する脱穀装置９と、前記刈取装置３から前記脱穀装置９に刈取り穀稈を供給するフィーダハウス１１と、各部を駆動するエンジン７と、脱穀装置９の脱粒物を選別する選別機構１０と、穀粒を収集するグレンタンク６を備えた普通型コンバインにおいて、脱穀装置９の上面側に配置した前記グレンタンク６を、走行機体１の左右いずれか一側外方に向けて展開可能に支持するように構成している。したがって、機体側方に前記グレンタンク６を回動して、脱穀装置９の上面側を開放でき、扱胴２１の周辺等をメンテナンス作業できる。グレンタンク６を取外してから、脱穀装置９内の扱胴２１周辺等をメンテナンスする必要がないから、脱穀装置９上部又はグレンタンク６下部のメンテナンス作業性等を向上できる。
【００５０】
図８及び図９に示す如く、グレンタンク６の左右いずれか一側に揚穀コンベヤ３２又は外部排出コンベヤとしての穀粒排出オーガ８を設ける構造であって、グレンタンク６の左右いずれか他側に展開用軸体としての底送りコンベヤ６０を設け、底送りコンベヤ６０回りにグレンタンク６を回動可能に構成している。したがって、揚穀コンベヤ３２又は穀粒排出オーガ８に殆ど規制されることなく、底送りコンベヤ６０回りにグレンタンク６を展開移動できる。グレンタンク６の展開又は復元操作性を向上できる。
【００５１】
図８及び図９に示す如く、グレンタンク６の少なくとも左右いずれか一側の底部に底部排出コンベヤとしての底送りコンベヤ６０を設け、底送りコンベヤ６０の軸芯線回りにグレンタンク６を回動可能に構成している。したがって、揚穀コンベヤ３２又は穀粒排出オーガ８に殆ど規制されることなく、底送りコンベヤ６０回りにグレンタンク６を展開移動できる。走行機体１に底送りコンベヤ６０を介して空の前記グレンタンク６を簡単に支持できる。グレンタンク６の支持構造を簡略化できるものでありながら、グレンタンク６の展開操作性又は復元操作性を向上できる。
【００５２】
図８及び図９に示す如く、グレンタンク６の左右いずれか一側に揚穀コンベヤ３２又は穀粒排出オーガ８を設置し、グレンタンク６の左右いずれか他側の下部に底送りコンベヤ６０を設け、グレンタンク６の少なくとも前後いずれか一側に横送りコンベヤ６１を設け、底送りコンベヤ６０の送り終端側に横送りコンベヤ６１を介して穀粒排出オーガ８の送り始端側を連結させるように構成している。したがって、グレンタンク６の外側方に横送りコンベヤ６１を介して穀粒排出オーガ８を簡単に支持できる。底送りコンベヤ６０と横送りコンベヤ６１によって前記グレンタンク６内の穀粒を略同一平面内で搬送して、穀粒排出オーガ８の送り始端側に供給できる。グレンタンク６内の穀粒を搬出させるための径路を、グレンタンク６底部付近にコンパクトに構成できる。
【符号の説明】
【００５３】
１  走行機体
２  履帯（走行部）
３  刈取装置
６  グレンタンク
７  エンジン
８  穀粒排出オーガ（外部排出コンベヤ）
９  脱穀装置
１０  穀粒選別機構
１１  フィーダハウス
１５  刈刃
２１  扱胴
３２  揚穀コンベヤ
４２  運転座席
６０  底送りコンベヤ（展開用軸体、底部排出コンベヤ）
６１  横送りコンベヤ
【図１】
2011182744.tif 000003
【図２】
2011182744.tif 000004
【図３】
2011182744.tif 000005
【図４】
2011182744.tif 000006
【図５】
2011182744.tif 000007
【図６】
2011182744.tif 000008
【図７】
2011182744.tif 000009
【図８】
2011182744.tif 000010
【図９】
2011182744.tif 000011